(57)【要約】【課題】テンプレートや入力機器を用いて専用紙ではない記録媒体に名刺作成をする場合に比べて、容易に名刺作成をすることができる画像形成装置及び記録媒体を提供する。【解決手段】原稿の画像を読み取る読み取り手段と、読み取った画像を特定の記録媒体に対して割り付ける画像処理手段と、割り付けられた画像を特定の記録媒体に印刷する印刷手段と、を備え、印刷が名刺印刷であるとの指定を受付けた場合、読み取った原稿の同一面の画像を特定の記録媒体に対して複数割り付ける。【選択図】図７
2019119155.tif 000002
【特許請求の範囲】
【請求項１】
原稿の画像を読み取る読み取り手段と、
読み取った前記画像を特定の記録媒体に対して割り付ける画像処理手段と、
割り付けられた前記画像を前記特定の記録媒体に印刷する印刷手段と、を備え、
前記印刷が名刺印刷であるとの指定を受付けた場合、読み取った前記原稿の同一面の画像を前記特定の記録媒体に対して複数割り付ける、
ことを特徴とする画像形成装置。
【請求項２】
前記印刷が名刺印刷であるとの指定を受け付けた場合、予め定められた記録媒体収容部から前記特定の記録媒体を１枚ずつ順次に取り出して印刷し、他の記録媒体収容部からの印刷を指定させない、
ことを特徴とする請求項１に記載の画像形成装置。
【請求項３】
排出部に両面を印刷してから排出する第１モードと、第１面の印刷が終了した後、印刷された前記記録媒体を排出し、排出された前記記録媒体を再度前記記録媒体収容部にセットして第２面を印刷する第２モードと、を備え、両面印刷時に、前記印刷が名刺印刷であるとの指定を受け付けた場合、前記第２モードで印刷する、
ことを特徴とする請求項１又は２に記載の画像形成装置。
【請求項４】
第１面を印刷が終了した後、印刷された前記記録媒体を排出し、排出された前記記録媒体を再度前記記録媒体収容部にセットするよう使用者に促すメッセージを表示する、
ことを特徴とする請求項３に記載の画像形成装置。
【請求項５】
前記予め定められた記録媒体収容部は、前記記録媒体収容部から画像形成部までの前記特定の記録媒体が搬送される搬送経路が、他の記録媒体収容部から画像形成部までの搬送経路にくらべて最も短くなるように配置されている、
ことを特徴とする請求項２ないし４のいずれか１項に記載の画像形成装置。
【請求項６】
前記予め定められた記録媒体収容部は、取り出した前記特定の記録媒体が搬送される搬送経路の曲率が最も小さくなるように配置されている、
ことを特徴とする請求項２ないし４のいずれか１項に記載の画像形成装置。  
【請求項７】
前記画像処理手段は、前記画像の端部の一定領域における画像が一定の均一画像であった場合、各端部に対して前記画像を引き伸ばすように拡大する、
ことを特徴とする請求項１に記載の画像形成装置。
【請求項８】
前記画像処理手段は、前記画像の端部の一定領域における画像が白紙でなかった場合、各端部に対して前記画像を引き伸ばすように拡大する、
ことを特徴とする請求項１に記載の画像形成装置。
【請求項９】
前記画像処理手段は、１以上の画像が描画される仮想的なシートを表すレイヤーのうち前記画像に含まれるオブジェクト画像を含まないベースレイヤーに配置される前記画像の各端部の一定領域における画像を引き伸ばすように拡大する、
ことを特徴とする請求項１に記載の画像形成装置。
【請求項１０】
請求項１ないし９のいずれか１項に記載の画像形成装置において、割り付けられた画像が印刷される記録媒体であって、
二つの名刺サイズの切り込みが形成されたはがきサイズの厚紙用紙である、
ことを特徴とする記録媒体。
【請求項１１】
前記記録媒体は、名刺が印刷される第１の表面、及び第２の表面の他に、上縁部と、下縁部と、２つの側縁部の４領域と、を含む、
ことを特徴とする請求項１０に記載の記録媒体。
【請求項１２】
前記切り込みから前記記録媒体の搬送方向と交差する方向に延び、前記記録媒体の端部まで形成された分離線を含み、前記記録媒体の搬送方向と平行な方向には前記記録媒体の端部から前記切り込みまでの間に前記分離線が形成されていない、  
ことを特徴とする請求項９又は１０に記載の記録媒体。
【請求項１３】
前記切り込みから前記記録媒体の端部との距離が長いほうの端部に向けて延び、前期記録媒体の端部まで形成された分離線を含み、前記切り込みから前記記録媒体の端部との距離が短いほうの端部から前記切り込みまでの間には分離線が形成されていない、
ことを特徴とする請求項９又は１０に記載の記録媒体。
【請求項１４】
前記分離線は、前記記録媒体の端部側に分離を開始するための分離きっかけ部が形成されている、
ことを特徴とする請求項１２又は１３に記載の記録媒体。
【請求項１５】
前記分離きっかけ部は、切り欠き、又は事前印刷された矢印である、
ことを特徴とする請求項１４に記載の記録媒体。
【請求項１６】
前記切り込みは、前記名刺サイズの領域を画定するようにミシン目として形成され、前記記録媒体の搬送方向と交差する方向で前記上縁部及び前記下縁部には前記ミシン目と接する打ち抜き部が形成されている、
ことを特徴とする請求項１０に記載の記録媒体。
【請求項１７】
前記記録媒体は、事前印刷又は追い刷り印刷された情報を含み、前記情報は、前記第１の表面及び前記第２の表面のうち少なくとも１つの上で、前記上縁部及び／又は下縁部に印刷される、
ことを特徴とする請求項１０ないし１６のいずれか１項に記載の記録媒体。
【請求項１８】
前記記録媒体の角部に、コーナーカットが形成され、他の角部にはコーナーカットが形成されていない、
ことを特徴とする請求項１０ないし１６のいずれか１項に記載の記録媒体。
【請求項１９】
前記情報は、前記名刺サイズの切り込みを分離する分離方法である、
ことを特徴とする請求項１５に記載の記録媒体。  
【請求項２０】
前記記録媒体は、前記記録媒体の搬送方向と交差する方向がはがきの長辺よりもわずかに大きいサイズである、  
ことを特徴とする請求項１０ないし１９のいずれか１項に記載の記録媒体。
【請求項２１】
前記記録媒体は、前記上縁部、下縁部又は前記名刺サイズの領域の裏面部に使用者ごとに設定された二次元コードパターンを追い刷り印刷することが可能である、  
ことを特徴とする請求項１０ないし１８のいずれか１項に記載の記録媒体。
【発明の詳細な説明】
【技術分野】
【０００１】
本発明は、画像形成装置及び記録媒体に関する。
【背景技術】
【０００２】
名刺コピー機は、上部正面に広告面を設けた縦型のケースよりなる自動名刺コピー機システムにおいて、名刺コピー機には、上部の名刺挿入口より１枚の名刺を差込み、ケースの平坦面に位置するタッチパネルを操作し、内部の内蔵スキャナーが名刺画像の情報を読み取ると共に、内蔵コンピューターが画像処理を施し、その後内蔵プリンターによって１シート１０枚分の名刺が縁取枠内に印刷され、最初差込みした名刺を名刺取出口より取り出し、ケースの正面垂直面に設けた印刷シート取出口より印刷された１シート単位の名刺シート本体を取出す自動名刺コピー機システムが知られている（特許文献１）。
【先行技術文献】
【特許文献】
【０００３】
【特許文献１】特開２００６−６７５３５号公報
【発明の概要】
【発明が解決しようとする課題】
【０００４】
本発明は、テンプレートや入力機器を用いて専用紙ではない記録媒体に名刺作成をする場合に比べて、容易に名刺作成をすることができる画像形成装置及び記録媒体を提供する。
【課題を解決するための手段】
【０００５】
前記課題を解決するために、請求項１に記載の画像形成装置は、
原稿の画像を読み取る読み取り手段と、
読み取った前記画像を特定の記録媒体に対して割り付ける画像処理手段と、
割り付けられた前記画像を前記特定の記録媒体に印刷する印刷手段と、を備え、
前記印刷が名刺印刷であるとの指定を受付けた場合、読み取った前記原稿の同一面の画像を前記特定の記録媒体に対して複数割り付ける、
ことを特徴とする。
【０００６】
請求項２記載の発明は、請求項１に記載の画像形成装置において、
前記印刷が名刺印刷であるとの指定を受け付けた場合、予め定められた記録媒体収容部から前記特定の記録媒体を１枚ずつ順次に取り出して印刷し、他の記録媒体収容部からの印刷を指定させない、
ことを特徴とする。
【０００７】
請求項３記載の発明は、請求項１又は２に記載の画像形成装置において、
排出部に両面を印刷してから排出する第１モードと、第１面の印刷が終了した後、印刷された前記記録媒体を排出し、排出された前記記録媒体を再度前記記録媒体収容部にセットして第２面を印刷する第２モードと、を備え、両面印刷時に、前記印刷が名刺印刷であるとの指定を受け付けた場合、前記第２モードで印刷する、
ことを特徴とする。
【０００８】
請求項４記載の発明は、請求項３に記載の画像形成装置において、
第１面を印刷が終了した後、印刷された前記記録媒体を排出し、排出された前記記録媒体を再度前記記録媒体収容部にセットするよう使用者に促すメッセージを表示する、
ことを特徴とする。
【０００９】
請求項５記載の発明は、請求項２ないし４のいずれか１項に記載の画像形成装置において、
前記予め定められた記録媒体収容部は、前記記録媒体収容部から画像形成部までの前記特定の記録媒体が搬送される搬送経路が、他の記録媒体収容部から画像形成部までの搬送経路にくらべて最も短くなるように配置されている、
ことを特徴とする。
【００１０】
請求項６記載の発明は、請求項２ないし４のいずれか１項に記載の画像形成装置において、
前記予め定められた記録媒体収容部は、取り出した前記特定の記録媒体が搬送される搬送経路の曲率が最も小さくなるように配置されている、
ことを特徴とする。
【００１１】
請求項７記載の発明は、請求項１に記載の画像形成装置において、
前記画像処理手段は、前記画像の端部の一定領域における画像が一定の均一画像であった場合、各端部に対して前記画像を引き伸ばすように拡大する、
ことを特徴とする。
【００１２】
請求項８記載の発明は、請求項１に記載の画像形成装置において、
前記画像処理手段は、前記画像の端部の一定領域における画像が白紙でなかった場合、各端部に対して前記画像を引き伸ばすように拡大する、
ことを特徴とする。
【００１３】
請求項９記載の発明は、請求項１に記載の画像形成装置において、
前記画像処理手段は、１以上の画像が描画される仮想的なシートを表すレイヤーのうち前記画像に含まれるオブジェクト画像を含まないベースレイヤーに配置される前記画像の各端部の一定領域における画像を引き伸ばすように拡大する、
ことを特徴とする。
【００１４】
前記課題を解決するために、請求項１０記載の記録媒体は、
請求項１ないし９のいずれか１項に記載の画像形成装置において、割り付けられた画像が印刷される記録媒体であって、
二つの名刺サイズの切り込みが形成されたはがきサイズの厚紙用紙である、
ことを特徴とする。
【００１５】
請求項１１記載の発明は、請求項１０に記載の記録媒体において、
前記記録媒体は、名刺が印刷される第１の表面、及び第２の表面の他に、上縁部と、下縁部と、２つの側縁部の４領域と、を含む、
ことを特徴とする。
【００１６】
請求項１２記載の発明は、請求項９又は１０に記載の記録媒体において、
前記切り込みから前記記録媒体の搬送方向と交差する方向に延び、前記記録媒体の端部まで形成された分離線を含み、前記記録媒体の搬送方向と平行な方向には前記記録媒体の端部から前記切り込みまでの間に前記分離線が形成されていない、  
ことを特徴とする。
【００１７】
請求項１３記載の発明は、請求項９又は１０に記載の記録媒体において、
前記切り込みから前記記録媒体の端部との距離が長いほうの端部に向けて延び、前記記録媒体の端部まで形成された分離線を含み、前記切り込みから前記記録媒体の端部との距離が短いほうの端部から前記切り込みまでの間には分離線が形成されていない、
ことを特徴とする。
【００１８】
請求項１４記載の発明は、請求項１２又は１３に記載の記録媒体において、
前記分離線は、前記記録媒体の端部側に分離を開始するための分離きっかけ部が形成されている、
ことを特徴とする。
【００１９】
請求項１５記載の発明は、請求項１４に記載の記録媒体において、
前記分離きっかけ部は、切り欠き、又は事前印刷された矢印である、
ことを特徴とする。
【００２０】
請求項１６記載の発明は、請求項１０に記載の記録媒体において、
前記切り込みは、前記名刺サイズの領域を画定するようにミシン目として形成され、前記記録媒体の搬送方向と交差する方向で前記上縁部及び前記下縁部には前記ミシン目と接する打ち抜き部が形成されている、
ことを特徴とする。
【００２１】
請求項１７記載の発明は、請求項１０ないし１６のいずれか１項に記載の記録媒体において、
前記記録媒体は、事前印刷又は追い刷り印刷された情報を含み、前記情報は、前記第１の表面及び前記第２の表面のうち少なくとも１つの上で、前記上縁部及び／又は下縁部に印刷される、
ことを特徴とする。  
【００２２】
請求項１８記載の発明は、請求項１０ないし１６のいずれか１項に記載の記録媒体において、
前記記録媒体の角部に、コーナーカットが形成され、他の角部にはコーナーカットが形成されていない、
ことを特徴とする。
【００２３】
請求項１９記載の発明は、請求項１５に記載の記録媒体において、
前記情報は、前記名刺サイズの切り込みを分離する分離方法である、
ことを特徴とする。
【００２４】
請求項２０記載の発明は、請求項１０ないし１９のいずれか１項に記載の記録媒体において、
前記記録媒体は、前記記録媒体の搬送方向と交差する方向がはがきの長辺よりもわずかに大きいサイズである、  
ことを特徴とする。
【００２５】
請求項２１記載の発明は、請求項１０ないし１８のいずれか１項に記載の記録媒体において、
前記記録媒体は、前記上縁部、下縁部又は前記名刺サイズの領域の裏面部に使用者ごとに設定された二次元コードパターンを追い刷り印刷することが可能である、  
ことを特徴とする。
【発明の効果】
【００２６】
請求項１に記載の発明によれば、複数の名刺を作成する際に、テンプレートや入力機器を用いて名刺作成をする場合に比べて、容易に名刺作成をすることができる。
【００２７】
請求項２に記載の発明によれば、名刺作成のための専用トレイから特定の記録媒体を給紙することができる。
【００２８】
請求項３に記載の発明によれば、厚い特定の記録媒体にも両面印刷することができる。
【００２９】
請求項４に記載の発明によれば、使用者が両面の名刺作成を行う場合に名刺作成のための指定された記録媒体を使用して名刺作成する手順を伝達することができる。
【００３０】
請求項５、６に記載の発明によれば、名刺作成のための特定の記録媒体を安定して搬送することができる。
【００３１】
請求項７、８、９に記載の発明によれば、背景に余白がないように画像が形成された名刺を余白がでないように再現することができる。
【００３２】
請求項１０に記載の発明によれば、専用の記録媒体に名刺を印刷した後、道具を用いないで名刺を作成することができる。
【００３３】
請求項１１に記載の発明によれば、小さな名刺であっても画像形成装置で搬送することができる。
【００３４】
請求項１２に記載の発明によれば、専用の記録媒体に名刺を印刷した後、不慣れな引きちぎりによる記録媒体の損傷を抑制することができる。
【００３５】
請求項１３に記載の発明によれば、専用の記録媒体の搬送を安定化させることができる。
【００３６】
請求項１４、１５、１６に記載の発明によれば、名刺の切り取りをより容易化することができる。
【００３７】
請求項１７、１８に記載の発明によれば、専用の記録媒体の指定されたトレイへのセットミスを抑制するともに、指定されたトレイへセットされた記録媒体が専用の記録媒体であるか否かの判別をすることができる。
【００３８】
請求項１９に記載の発明によれば、名刺の切り取りをより容易化することができる。
【００３９】
請求項２０に記載の発明によれば、指定されたトレイへセットされた記録媒体が専用の記録媒体であるか否かの判別をすることができる。
【００４０】
請求項２１に記載の発明によれば、一度名刺作成を行った使用者が次回に容易に名刺作成することができる。
【図面の簡単な説明】
【００４１】
【図１】第１実施形態に係る画像形成装置の内部構成を示す断面模式図である。
【図２】第１実施形態に係る画像形成装置の機能構成を示すブロック図である。
【図３】第１実施形態に係る画像形成装置において名刺印刷を行う動作の流れを示すフローチャートである。
【図４】名刺印刷を行う場合の操作表示部の表示例を示す図である。
【図５】名刺印刷を行う場合の動作の流れに従って操作表示部に表示される表示例を示す図。である。
【図６】原稿載置部への名刺の載置を説明する図である。
【図７】読み取った画像データの特定用紙への割付を示す図である。
【図８】第２実施形態に係る画像形成装置における名刺印刷の動作の流れを示すフローチャートである。
【図９】画像補正を説明する模式図である。
【図１０】変形例に係る画像形成装置における名刺印刷の動作の流れを示すフローチャートである。
【図１１】変形例に係る画像形成装置における画像補正を説明する模式図である。
【図１２】特定用紙の構成を示す図である。
【図１３】特定用紙の切り離しを示す説明図である。
【図１４】特定用紙に形成された分離きっかけ部の第１の態様を示す図である。
【図１５】特定用紙に形成された分離きっかけ部の第２の態様を示す図である。
【図１６】特定用紙に形成された分離きっかけ部の第３の態様を示す図である。
【図１７】コーナーカットが設けられた特定用紙を示す図である。
【図１８】長辺がはがきサイズよりも僅かに大きい特定用紙を示す図である。
【図１９】特定用紙への名刺印刷以外の追い刷り印刷の例を示す図である。
【発明を実施するための形態】
【００４２】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００４３】
「第１実施形態」
（１）画像形成装置の全体構成及び動作
図１は本実施形態に係る記録媒体を用いて画像形成する画像形成装置１の内部構成を示す断面模式図、図２は画像形成装置１の機能構成を示すブロック図である。
以下、図面を参照しながら、画像形成装置１の全体構成及び動作を説明する。
【００４４】
（１．１）画像形成装置の全体構成
画像形成装置１は、画像形成部１０と、画像形成部１０の下部に装着された給紙装置２０と、画像形成部１０の上部に装着された読取装置３０と、操作表示部４０と、画像処理部５０と、システム制御装置６０と、を備えて構成され、特定の記録媒体としてのはがきサイズの厚紙用紙を給送して読み取った名刺画像を複数割り付けて印刷する名刺印刷機能を有している。
【００４５】
画像形成部１０は、露光装置１２、感光体ユニット１３、現像装置１４、転写装置１５、定着装置１６、を備えて構成され、画像処理部５０から受け取った画像情報を給紙装置２０から送り込まれた用紙Ｐ上にトナー像として形成する。
【００４６】
画像形成部１０の底部には、用紙トレイ２１、２２を有する給紙装置２０が設けられ、更に給紙装置２０の下方には、上下方向に多段（本実施形態においては２段）に配置され、用紙Ｐを収容する用紙トレイＴ１、Ｔ２からなるトレイモジュールＴＭが接続されて画像形成部１０に対する用紙供給を行う。
【００４７】
用紙トレイ（以下、特定トレイという）２１は、図１に示すように、画像形成部１０の転写装置１５までの搬送経路が、他の用紙トレイ２２、Ｔ１、Ｔ２に比べて最も短く、かつ搬送経路の曲率が最も小さくなるように配置され、本実施形態における名刺印刷に用いられる特定の記録媒体としての名刺サイズの切り込みが形成されたはがきサイズの用紙（以下、特定用紙という）ＳＰを収容して画像形成部１０への用紙供給を行う。
【００４８】
画像形成部１０の上方には、読取装置３０が配置されている。読取装置３０は、ＣＣＤ（Charge Coupled Device）ラインセンサ等のイメージセンサ（不図示）を備え、原稿台上に載置された原稿の画像を読み取り、電気信号である画像データに変換する。
【００４９】
読取装置３０の前面側には、ユーザーインターフェイスとしての操作表示部４０が配置されている。操作表示部４０は、液晶表示パネル、各種操作ボタン、タッチパネル等を組み合わせて構成され、画像形成装置１の使用者は、操作表示部４０を介して各種の設定や指示の入力を行う。また、液晶表示パネルを介して画像形成装置１の使用者へ各種情報を表示する。
【００５０】
画像処理部５０は、外部機器（図２に図示：例えばパーソナルコンピュータ等）から送信された印刷情報から画像データを生成するとともに、読取装置３０によって入力された画像データを用いて種々の画像処理を行う。
【００５１】
（１．２）画像形成部１０の構成及び動作
このような構成の画像形成装置１では、画像形成のタイミングに合わせて給紙装置２０から、印刷ジョブで指定された用紙Ｐが画像形成部１０へ送り込まれる。
【００５２】
感光体ユニット１３は、給紙装置２０の上方に、それぞれが並列して設けられ、回転駆動する感光体ドラム３１を備えている。露光装置１２により静電潜像が形成されたそれぞれの感光体ドラム３１上には、それぞれの現像装置１４によってイエロー（Ｙ）、マゼンタ（Ｍ）、シアン（Ｃ）、黒（Ｋ）のトナー像が形成される。
【００５３】
各感光体ユニット１３の感光体ドラム３１に形成された各色トナー像は、転写装置１５の中間転写ベルト５１上に順次静電転写（一次転写）され、各色トナーが重畳された重畳トナー像が形成される。中間転写ベルト５１上の重畳トナー像は、レジストローラ対２４から送り出され、搬送ガイドにより案内された用紙Ｐに二次転写ローラ５２によって一括転写される。  
【００５４】
定着装置１６は一対の加熱モジュール６１と加圧モジュール６２の圧接領域によって定着ニップ部ＮＰ（定着領域）が形成される。
転写装置１５においてトナー像が一括転写された用紙Ｐは、トナー像が未定着の状態で搬送ガイド５３を介して定着装置１６の定着ニップ部ＮＰに搬送され、一対の加熱モジュール６１と加圧モジュール６２により、圧着と加熱の作用でトナー像が定着される。
【００５５】
定着トナー像が形成された用紙Ｐは、搬送ガイドによってガイドされ、排出ローラ対６３から画像形成装置１上面の排紙トレイ部ＴＲ１に排出・収容される。
尚、自動で両面印刷を行う場合には、用紙Ｐの表裏が反転され、再び画像形成部１０へ送り込まれる。そして、トナー像の転写および転写像の定着が行われた後に、排紙トレイ部ＴＲ１に排出されることになる。  
【００５６】
（１．３）システム制御装置の機能構成と動作
画像形成装置１は、印刷制御部６１０、画像入力部６２０、用紙割付部６３０、画像データ補正部６４０を含むシステム制御装置６０を備え、メモリに記憶された制御プログラムを実行して、画像形成装置１全体の動作制御を行う。
【００５７】
印刷制御部６１０は、給紙装置２０との間の情報授受についての制御の他に、画像形成部１０が備える露光装置１２、感光体ユニット１３、現像装置１４、転写装置１５、定着装置１６等に対して、動作制御指示を与える。
【００５８】
画像入力部６２０は、読取装置３０との間で情報授受を行う。具体的には、操作表示部４０を介して受け付けた画像読取指示により、読取装置３０の動作制御を行うとともに、読取装置３０で読み取られた画像データの取り込みを行う。
【００５９】
用紙割付部６３０は、読取装置３０で読み取られた画像データを指定された特定用紙ＳＰに対して面付けするように配置する。例えば、操作表示部４０を介して名刺印刷の指定を受け付けた場合、読み取った原稿としての名刺ＮＣの同一面の画像データを指定された特定用紙ＳＰ上へ複数配置するように画像の配置方法を規定する。
【００６０】
画像データ補正部６４０は、読み取った画像の端部の一定領域における画像が白紙でなかった場合、各端部に対して端部の一定領域における画像データを引き伸ばすように拡大する補正を行う。具体的には、読み取った画像の端部の一定領域における画像が一定の均一画像であった場合、各端部に対して端部の一定領域における画像データを引き伸ばすように拡大する補正を行う。
【００６１】
例えば、端部の一定領域を複数の領域に分割し、各々の領域に含まれる画像データの画像パターンの面積（画像密度）を各色ごとに算出して、各々の領域における画像パターンの画像密度の差が閾値以内であれば均一画像、閾値を超えていれば不均一と判断する。そして、各々の領域における画像パターンの画像密度の差が閾値以内であれば、各端部に対して端部の一定領域における画像データを引き伸ばすように拡大する補正を行う。
【００６２】
また、画像データ補正部６４０は、読み取った画像データから、オブジェクト画像データを含まないベースレイヤーＢＬの画像データの端部領域を拡大して各端部に対して端部の一定領域における画像データを引き伸ばすように拡大する補正を行う。
【００６３】
（２）名刺印刷
図３は画像形成装置１において名刺印刷を行う動作の流れを示すフローチャート、図４は名刺印刷を行う場合の操作表示部４０の表示例を示す図、図５は名刺印刷を行う場合の動作の流れに従って操作表示部４０に表示される表示例を示す図、図６は原稿載置部３２への名刺ＮＣの載置を説明する図、図７は読み取った画像データの特定用紙ＳＰへの割付を示す図である。
以下、図面を参照しながら、画像形成装置１が行う名刺印刷について説明する。
【００６４】
画像形成装置１は、図４に示すように、操作表示部４０に通常の画像コピー、プリント、スキャン等に加えていろいろな印刷を受け付ける印刷選択表示を有し、使用者は、名刺印刷を行う場合、操作表示部４０を介して名刺印刷を選択することができる。
【００６５】
名刺印刷を受け付けると（Ｓ１０１：Ｙｅｓ）、画像形成装置１は、図５（ａ）に示すように、操作表示部４０に読み取る名刺の載置方法を表示する（Ｓ１０２）。具体的には、図６（ａ）に示すように、名刺ＮＣを裏返し、読取装置３０の原稿載置部（プラテン）３２上の原稿読取基準位置３３に名刺ＮＣの右上角を合わせて、表面の画像読み取りを行う（Ｓ１０３）。
【００６６】
表面の画像読み取りが終了すると、図５（ｂ）に示すように、裏面の画像読み取りが有るか否かの表示を行う。そして、裏面作成の指示を受け付ける（Ｓ１０４：Ｙｅｓ）、再度、読み取る名刺の載置方法を表示して（Ｓ１０５）、図６（ｂ）に示すように、名刺ＮＣを表向きにして、読取装置３０の原稿載置部（プラテン）３２上の原稿読取基準位置３３に名刺ＮＣの右上角を合わせて、裏面の画像読み取りを行う（Ｓ１０６）。
【００６７】
名刺ＮＣの画像読み取りが終了すると、用紙割付部６３０は、図７に示すように、特定用紙ＳＰに同一面である表面の画像データを２面割り付ける（Ｓ１０７）。裏面が有る場合には、同様に、特定用紙ＳＰの裏面に裏面画像データを２面割り付ける。
そして、特定用紙ＳＰを収容する予め定められた記録媒体収容部としての特定トレイ２１を選択して（Ｓ１０８）、表面の印刷を行う（Ｓ１０９）。
【００６８】
表面が印刷された特定用紙ＳＰは、排出ローラ対６９から画像形成装置１上面の排紙トレイ部ＴＲ１に排出・収容される。裏面の印刷がある場合には、排紙トレイ部ＴＲ１に排出・収容された特定用紙ＳＰを再度特定トレイ２１にセットして（Ｓ１１０：Ｙｅｓ）、裏面印刷が行われる（Ｓ１１１：第２モード）。
これにより、複数の名刺ＮＣを作成する際に、テンプレートや入力機器を用いて名刺作成をする場合に比べて、容易に名刺作成をすることができる。
【００６９】
「第２実施形態」
図８は本実施形態に係る画像形成装置１Ａにおける名刺印刷の動作の流れを示すフローチャート、図９は画像補正を説明する模式図である。
本実施形態に係る画像形成装置１Ａは、画像読み取りする名刺の背景部が白紙でない場合、各端部に対して読み取った画像を引き伸ばすように拡大する補正を行う。
【００７０】
本実施形態に係る画像形成装置１Ａにおいて、名刺印刷の指示を受け付けて行う、名刺ＮＣの表面及び裏面の画像読み取りは、画像形成装置１における画像読み取りと同様である。
画像形成装置１Ａは、名刺ＮＣの画像を読み取り（Ｓ２０１）、画像データが背景部に画像を有するか否か判断する（Ｓ２０２）。背景部に画像がある場合（Ｓ２０２：Ｙｅｓ）、端部の一定領域Ｌ１を複数の領域に分割する（Ｓ２０３）。
【００７１】
画像データ補正部６４０は、分割した各々の領域に含まれる画像データの画像パターンの面積（画像密度）を各色ごとに算出して、各々の領域における画像パターンの画像密度の差が閾値以内か否か判断する（Ｓ２０４）。
その結果、閾値以内であれば（Ｓ２０４：Ｙｅｓ）均一画像、閾値を超えていれば（Ｓ２０４：Ｎｏ）不均一と判断する。
【００７２】
端部の一定領域Ｌ１における画像が一定以上均一である場合（Ｓ２０４：Ｙｅｓ）、画像データ補正部６４０は、各端部に対して画像データを引き伸ばすように拡大し（Ｓ２０５）各端部に画像Ｌ２を補完する（図７中  Ｌ２参照）。そして、補正された画像データを特定用紙ＳＰに同一面の画像データを２面割り付ける（Ｓ２０６）。
このように、端部の一定領域Ｌ１における画像が一定以上均一である場合に、画像データを引き伸ばすように拡大して各端部に画像Ｌ２を補完することで、特定用紙ＳＰの切り込みでの画像のずれを抑制しながら、印刷された名刺ＮＣの周縁部に白い縁が生じないように余白なし印刷することができる。
【００７３】
「変形例」
図１０は変形例に係る画像形成装置１Ｂにおける名刺印刷の動作の流れを示すフローチャート、図１１は変形例に係る画像形成装置１Ｂにおける画像補正を説明する模式図である。
変形例に係る画像形成装置１Ｂは、読み取った画像データから、オブジェクト画像データを含まないベースレイヤーＢＬの画像データの端部領域を拡大して各端部に対して端部の一定領域における画像データを引き伸ばすように拡大する補正を行う。
【００７４】
変形例に係る画像形成装置１Ｂにおいて、名刺印刷の指示を受け付けて行う、名刺ＮＣの表面及び裏面の画像読み取りは、画像形成装置１における画像読み取りと同様である。
画像形成装置１Ｂは、名刺ＮＣの画像を読み取り（Ｓ３０１）、画像データが背景部に画像を有するか否か判断する（Ｓ３０２）。背景部に画像がある場合（Ｓ３０２：Ｙｅｓ）、取得した画像を文字、図形等のオブジェクト画像を含むレイヤーＯＬと背景部画像を含むベースレイヤーＢＬとに分離する（Ｓ３０３）。  
【００７５】
画像データ補正部６４は、ベースレイヤーＢＬの画像データの端部領域を拡大して（Ｓ３０４）各端部に画像Ｌ３を補完する（図１１中  Ｌ３参照）。そして、補正された画像データを特定用紙ＳＰに同一面の画像データを２面割り付ける（Ｓ３０５）。
このように、背景部画像を有する場合に、ベースレイヤーＢＬの画像データを引き伸ばすように拡大して各端部に画像Ｌ３を補完することで、特定用紙ＳＰの切り込みでの画像のずれを抑制しながら、印刷された名刺ＮＣの周縁部に白い縁が生じないように余白なし印刷することができる。
【００７６】
（３）特定用紙の構成
図１２は特定用紙ＳＰの構成を示す図、図１３は特定用紙ＳＰの切り離しを示す説明図、図１４は特定用紙ＳＰに形成された分離きっかけ部の第１の態様を示す図、図１５は特定用紙ＳＰに形成された分離きっかけ部の第２の態様を示す図、図１６は特定用紙ＳＰに形成された分離きっかけ部の第３の態様を示す図である。
以下、図面を参照しながら名刺印刷に用いられる特定用紙ＳＰの構成について説明する。
【００７７】
（３．１）特定用紙の切り込み構成
特定用紙ＳＰは、図１２に示すように、名刺ＮＣの画像データが２面割り付け可能なはがきサイズの厚紙用紙で、二つの名刺サイズの切り込みＣＴ１が形成されている。
具体的には、長辺１４８ｍｍ、短辺１００ｍｍのはがきサイズであり、長辺９１ｍｍ、短辺５５ｍｍの名刺サイズに合わせて二つの名刺が割り付けられる領域を画定する切りこみＣＴ１がミシン目として形成されている。
【００７８】
図１２に示すように、切り込みＣＴ１は、特定用紙ＳＰの中央部に形成され、特定用紙ＳＰの短辺側には、上縁部Ｓ１、下縁部Ｓ２が設けられ、長辺側には二つの側縁部Ｓ３、Ｓ４が設けられている。
【００７９】
また、切り込みＣＴ１に対しては、上縁部Ｓ１、下縁部Ｓ２の端部から切り込みＣＴ１まで分離線ＣＴ２が形成されている。分離線ＣＴ２は、切り込みＣＴ１のミシン目に比べて、連結部が少なく、切り離し容易とされている。尚、分離線ＣＴ２は、図１２に示すように、側縁部Ｓ３、Ｓ４側には形成されていない。
【００８０】
特定用紙ＳＰは、画像形成装置１の特定トレイ２１には、生産性を最大化するために、長辺側を搬送方向（図１２中  矢印参照）とするようにセットされる。そのために、印刷後の名刺ＮＣの切り離し作業を容易化する分離線ＣＴ２は、搬送方向と交差する方向の上縁部Ｓ１、下縁部Ｓ２の端部に設け、搬送方向と平行な方向となる側縁部Ｓ３、Ｓ４側には設けないことで、用紙搬送方向の強度低下を抑制して画像形成装置１内での用紙搬送を安定化させている。
【００８１】
このように、二つの名刺サイズの切り込みＣＴ１がミシン目で形成されているために、名刺印刷後、切り込みＣＴ２を切り離すことで、道具を用いることなく名刺作成を行うことができる。  
更に、切り込みＣＴ１に対して、上縁部Ｓ１、下縁部Ｓ２の端部から切り込みＣＴ１まで分離線ＣＴ２が設けられていることで、図１３に示すように、分離線ＣＴ２を切り離すことで（図１３中  矢印参照）、不慣れな引きちぎりによる特定用紙ＳＰの損傷を抑制することができる。
【００８２】
「変形例１」
図１４は変形例１に係る特定用紙ＳＰＡの構成を示す図である。特定用紙ＳＰＡは、図１４に示すように、上縁部Ｓ１、下縁部Ｓ２に分離きっかけ部の一例としての切り欠きＣ１が設けられている。切り欠きＣ１は上縁部Ｓ１及び下縁部Ｓ２の端部から切り込みＣＴ１に繋がる分離線ＣＴ２の一端に向かう三角形状として形成されている。
【００８３】
上縁部Ｓ１には、切り欠きＣ１の側方に事前印刷された情報として、例えば「ここから」の表示が設けられている。これにより、切り欠きＣ１を利用して分離線ＣＴ２を確実に切り離して、名刺の切り取りをより容易化することができる。
【００８４】
「変形例２」
図１５は変形例２に係る特定用紙ＳＰＢの構成を示す図である。特定用紙ＳＰＢは、図１５に示すように、上縁部Ｓ１、下縁部Ｓ２に分離きっかけ部の一例としての矢印Ｃ２が事前印刷されている。矢印Ｃ２は上縁部Ｓ１及び下縁部Ｓ２の端部から切り込みＣＴ１に繋がる分離線ＣＴ２上に切り離し方向を示す矢印として事前印刷されている。
【００８５】
また、上縁部Ｓ１には、矢印Ｃ２の側方に事前印刷された情報として、例えば「ここから」の表示が設けられている。これにより、矢印Ｃ２に従って分離線ＣＴ２を切り離して、名刺の切り取りをより容易化することができる。
【００８６】
「変形例３」
図１６は変形例３に係る特定用紙ＳＰＣの構成を示す図である。特定用紙ＳＰＣは、図１６に示すように、上縁部Ｓ１、下縁部Ｓ２に分離きっかけ部の一例としての打ち抜きＣ３が設けられている。切り欠きＣ３は上縁部Ｓ１及び下縁部Ｓ２に一端が切り込みＣＴ１としてのミシン目に接するように形成されている。
【００８７】
また、上縁部Ｓ１には、切り込みＣ３の他端に事前印刷された情報として、例えば「ここから」の表示が設けられている。これにより、切り込みＣ３から指を入れて、直接的に切り込みＣＴ１のミシン目を切り離すことができ、名刺の切り取りをより容易化することができる。
【００８８】
（３．２）特定用紙の検知
図１７はコーナーカットＣＣが設けられた特定用紙ＳＰＤを示す図、図１８は長辺がはがきサイズよりも僅かに大きい特定用紙ＳＰＥを示す図である。
特定用紙ＳＰは、画像形成部１０の転写装置１５までの搬送経路が、他の用紙トレイ２２、Ｔ１、Ｔ２に比べて最も短く、かつ搬送経路の曲率が最も小さくなるように配置された特定トレイ２１に収容されて、名刺印刷が指定されたときに、特定トレイ２１から給送されて名刺印刷が行われる。
【００８９】
特定トレイ２１は、収容された用紙を検知する検知手段として、透過型や反射型の光学式センサＳＮＲを備えている。
特定用紙ＳＰＤは、図１７（ａ）に示すように、角部のひとつにコーナーカットＣＣが設けられて、特定トレイ２１に収容された場合、図１７（ｂ）に示すように、光学式センサＳＮＲの光がコーナーカットＣＣを通過して信号がオフになることで、他のはがきサイズ用紙とは異なる特定用紙ＳＰであることが検知される。尚、コーナーカットＣＣの形状としては、左上角に面取り形状に限らず、例えば、Ｌ字形状、円弧状、Ｒ形状であってもよい。
【００９０】
「変形例」
特定用紙ＳＰＥは、図１８（ａ）に示すように、長辺がはがきサイズ（図中  ２点鎖線で表示）よりも僅かに大きいサイズ（図１８（ａ）中  ΔＬ）とされてもよい。例えば、はがきサイズの長辺１４８ｍｍに対して、全体で３ｍｍ〜７ｍｍ程度大きく形成することで、特定トレイ２１に収容された場合、図１８（ｂ）に示すように、サイドガイドＳＧがはがきサイズの位置からずれることで、はがきサイズとは異形サイズであると検知される。
画像形成装置１は、はがきサイズとは異なる異形サイズを特定用紙ＳＰと判断することで、特定用紙ＳＰを検知することができる。
【００９１】
（３．３）特定用紙ＳＰへの追い刷り印刷
図１９は特定用紙ＳＰへの名刺印刷以外の追い刷り印刷の例を示す図である。
特定用紙ＳＰは、切り込みＣＴ１で画定される名刺ＮＣの画像データを２面割り付ける名刺サイズの領域のほかに、上縁部Ｓ１、下縁部Ｓ２、名刺サイズの領域の裏面部を有している。
【００９２】
図１９（ａ）に示すように、上縁部Ｓ１、下縁部Ｓ２には、切り離しを容易化するための情報を事前印刷する他に、使用者ごとに設定された二次元パターンＱＣを名刺印刷の際に追い刷り印刷することができる。また、裏面印刷を行わない場合には、図１９（ｂ）に示すように、名刺サイズの領域の裏面部にも同様に、二次元パターンＱＣを名刺印刷の際に追い刷り印刷することができる。
一度名刺作成を行った使用者が次回に名刺作成する際に、追い刷り印刷された二次元パターンを読み取ることで、容易に名刺作成することができる。
【符号の説明】
【００９３】
１・・・画像形成装置
１０・・・画像形成部
２０・・・給紙装置
２１・・・特定トレイ
３０・・・読取部
４０・・・操作表示部
５０・・・画像処理部
６０・・・システム制御部
６１・・・印刷制御部
６２・・・画像入力部
６３・・・用紙割付部  
６４・・・画像データ補正部
ＳＰ、ＳＰＡ、ＳＰＢ、ＳＰＣ、ＳＰＤ、ＳＰＥ・・・特定用紙
ＮＣ・・・名刺
【図１】
2019119155.tif 000003
【図２】
2019119155.tif 000004
【図３】
2019119155.tif 000005
【図４】
2019119155.tif 000006
【図５】
2019119155.tif 000007
【図６】
2019119155.tif 000008
【図７】
2019119155.tif 000009
【図８】
2019119155.tif 000010
【図９】
2019119155.tif 000011
【図１０】
2019119155.tif 000012
【図１１】
2019119155.tif 000013
【図１２】
2019119155.tif 000014
【図１３】
2019119155.tif 000015
【図１４】
2019119155.tif 000016
【図１５】
2019119155.tif 000017
【図１６】
2019119155.tif 000018
【図１７】
2019119155.tif 000019
【図１８】
2019119155.tif 000020
【図１９】
2019119155.tif 000021